(57)【要約】【課題】引き出しのインターロック装置を提供する。【解決手段】スライド移動する引き出し１が複数上下に設けられ、定位フレーム２、連動フレーム３、ロック部品４、及びガイド部品５を備える。引き出し１の側面には、ガイド部品５が連結する。定位フレーム２は、引き出し１側面に対して設置し、各ガイド部品５に対応したスライド槽２１を有する。連動フレーム３は、定位フレーム２内側に設置する。ロック部品４は、各スライド槽２１に嵌まるように設置する。一つの引き出し１を開くと、ガイド部品５に対応するロック部品４が連動し、連動フレーム３が連動する。さらに、連動フレーム３上の他のロック部品４が連動して、引き出し１のガイド部品５をスライド移動させて対応するロック部品４を係止し、連動フレーム３の位置をロックする。このとき、連動フレーム３上の他のロック部品４がガイド部品５の移動を制限して、対応する引き出し１が移動できなくなる。【選択図】図１
0003140179.tif 000002
【実用新案登録請求の範囲】
【請求項１】
引き出しと、定位フレームと、連動フレームと、ロック部品と、ガイド部品とを含み、
前記引き出しは、少なくとも二組以上が上下に設置され、さらに前後に水平スライド移動が可能であり、かつ前後に対応する二つの側面を備え、
前記定位フレームは、前記引き出しの二側面の一つの外側に立てて設置し、前記引き出しの側面に対応して直立のスライド槽を設置し、さらに前記スライド槽の中央部分には定位槽を連結し、
前記連動フレームは、前記定位フレームの内側に設置し、前記定位フレームに対応して上下移動を行い、
前記ロック部品は、前記定位フレームの前記スライド槽に対応し、前記連動フレーム上に設置し、回転板、係止棒、受動柱及び凸柱を含み、
前記回転板は、相対する第一端と第二端とを備え、前記回転板の前記第一端と前記第二端との間には前記係止棒を可動であるように設置し、前記回転板は前記係止棒に相対し回転し、さらに前記係止棒は前記連動フレームに取り付けられ、
前記受動柱は、前記回転板の前記第一端に設置し、前記受動柱は中心より上半部と下半部とに分けられ、
前記凸柱は、前記回転板の前記第二端に設置し、前記凸柱は前記スライド槽及び前記定位槽において対応して嵌まりスライドするように設置し、
前記ガイド部品は、引き出しに連動し、ガイド板、第一係止片、第二係止片、第一ガード板及び第二ガード板を含み、
前記ガイド板は、相対的に低い位置の第一端と高い位置の第二端とを備え、前記ガイド板は前記ロック部品の前記係止棒を押上げ、
前記第一係止片及び前記第二係止片は、近接する前記ガイド板の前記第二端の位置に間隔を開けて設置し、さらに前記第一係止片は前記ロック部品の前記受動柱の上半部に接触して止まり、前記第二係止片は前記ロック部品の前記受動柱の下半部に接触して止まり、
前記第一ガード板及び前記第二ガード板は、共に近接する前記ガイド板の前記第一端の位置に立てて設置し、前記受動柱の上方の両側に対応して位置し、さらに前記ロック部品が前記連動フレームに連動して上昇後、前記第二ガード板は前記受動柱の動きを制限し、これにより前記ロック部品は前記定位フレームの前記スライド槽に対応して直立を保持し、前記第一ガード板は前記ロック部品の前記係止棒の動きを制限することを特徴とする引き出しのインターロック装置。
【請求項２】
前記ガイド部品は前記引き出しの側面に固定することを特徴とする請求項１記載の引き出しのインターロック装置。
【請求項３】
前記引き出しはさらにスライド機構上に設置し、前記ガイド部品は前記スライド機構上に固定されることを特徴とする請求項１記載の引き出しのインターロック装置。
【考案の詳細な説明】
【技術分野】
【０００１】
本考案は、引き出しのインターロック装置に関し、特に、キャビネット類に使用し同時に１つずつ開閉する引き出しのインターロック装置に係る。
【背景技術】
【０００２】
一般に、スライドレールにより引き出しを設置するキャビネットなどは、過重の引き出しをキャビネット本体外に引き出した後、重心がキャビネット本体外に移動してキャビネット本体が倒れるのを防ぐため、引き出しの開放数を制限し、同時に複数引き出されるのを防ぐ。またスライドレールにサーバー類電子設備を結合してラックに設置する「ラックマウントコンピュータシステム」（ＲＡＣＫ−ＭＯＵＮＴＥＤ  ＣＯＭＰＵＴＥＲ  ＳＹＳＴＥＭ）において一般に、サーバー類電子設備も引き出しの開放と同様にキャビネット本体外に引き出されるため、この種のシステムも「傾斜防止」（ＡＮＴＩ−ＴＩＰ、  ＡＮＴＩ−ＴＩＬＴ）機能の配備が考えられる。
【０００３】
上記問題とニーズに対応するため、引き出し同時開放を防止可能なインターロック装置（ＩＮＴＥＲＬＯＣＫ  ＤＥＶＩＣＥ）が開発された。この領域の公知技術では、米国特許局の検索システムに「ＡＮＴＩ−ＴＩＰ」、「ＡＮＴＩ−ＴＩＬＴ」或いは「ＩＮＴＥＲＬＯＣＫ」をキーワードとして引き出し（ＤＲＡＷＥＲ）を含むとの条件により検索すると、関連技術は数十件あり、このような装置の開発が非常に多様であることが分かる。
【考案の開示】
【考案が解決しようとする課題】
【０００４】
本考案が解決しようとする課題は、引き出しの同時開放を防止し、構造に適合し、全体的な使用効果を増進し、しかも前記公知技術とは異なる最新の引き出しのインターロック装置を提供することである。
【課題を解決するための手段】
【０００５】
上記課題を解決するための本考案による引き出しのインターロック装置は、引き出し、定位フレーム、連動フレーム、ロック部品、及びガイド部品を含む。
前述した引き出しは、少なくとも二組以上が上下に設置されたものであり、前後方向の水平スライド移動が可能で、前後方向に向かい合う二つの側面を有する。
【０００６】
前述した定位フレームは、この引き出しの二つの側面のうち一方の外側に立てて設置し、引き出しの側面に対応して直立したスライド槽を設置し、しかもこのスライド槽の中央部分に定位槽を連結する。
前述した連動フレームは、この定位フレームの内側に設置され、定位フレームに対応した上下移動をし、前述したロック部品は、定位フレームのスライド槽に対応して連動フレーム上に設置される。
【０００７】
このロック部品は、回転板、係止棒、受動柱及び凸柱を含み、回転板は相対する第一端と第二端とを備え、この回転板の第一端と第二端の間には係止棒が可動状態で設けられる。これにより、回転板は係止棒に対して回転し、さらにこの係止棒は連動フレームに取り付けられる。
受動柱は、回転板の第一端に設置し、この受動柱は中心より上半部と下半部とに分けられる。凸柱は、回転板の第二端に設置し、この凸柱はスライド槽及び定位槽に対応して嵌まり、かつスライドするように設けられる。
【０００８】
前述したガイド部品は、ガイド板、第一係止片、第二係止片、第一ガード板及び第二ガード板を含み、引き出しに連動するよう設けられる。このガイド板は、相対的に低い位置には第一端を、高い位置には第二端を備え、前述のロック部品の係止棒を押し上げる。前述の第一係止片及び第二係止片は、近接するガイド板の第二端側に間隔を開けて設置され、第一係止片はロック部品の受動柱上半部に接触して止まり、第二係止片はロック部品の受動柱下半部に接触して止まる。
【０００９】
第一ガード板及び第二ガード板は、近接するガイド板の第一端側に立てて設けられ、受動柱の上部で両側に対応して位置する。さらに前述したロック部品が連動フレームにより連動されて上昇した後、第二ガード板は受動柱の動きを制限することにより、ロック部品は定位フレームのスライド槽に対応して直立状態を保持し、第一ガード板はロック部品の係止棒の移動を制限する。
前述のガイド部品が引き出しの側面に固定され、さらにこの引き出しがスライド機構の上に設置されて、ガイド部品はスライド機構より上に固定される。
【００１０】
（考案の効果）
上記のように、本考案によれば、一つの引き出しを開くと確実に他の引き出しにロックがかかる機構が働き、効果を失う恐れはない。
さらに、本考案のインターロック装置には、使用寿命が長いという長所がある。
【考案を実施するための最良の形態】
【００１１】
図１から図３に示すように、本考案の一実施例は引き出し１、定位フレーム２、連動フレーム３、ロック部品４、及びガイド部品５を含む。
引き出し１は、少なくとも二組以上であり、上下に設置し、前後に水平スライド移動が可能で、しかも前後方向に向かい合う二側面を備える。引き出し１はさらにスライドレール１１などのスライド機構上に設置する。
【００１２】
定位フレーム２は、引き出し１の二側面のうちの一つの外側に立てて設置し、引き出し１の側面に対応して直立したスライド槽２１が設けられる。さらにスライド槽２１の中央部分には定位槽２２を連結する。ここで、定位槽２２の形態は、水平方向に対し下半分が弧状である。
連動フレーム３は、定位フレーム２の内側に設置し、定位フレーム２に対応して上下移動を行う。
【００１３】
ロック部品４は、定位フレーム２のスライド槽２１に対応して連動フレーム３上に設けられ、回転板４１、係止棒４２、受動柱４３、及び凸柱４４を含む。回転板４１は相対する第一端４１１と第二端４１２を備え、回転板４１の第一端４１１と第二端４１２の間には係止棒４２が可動状態で設置されるため、回転板４１は係止棒４２に対して回転する。
【００１４】
さらに、係止棒４２は連動フレーム３に固定して接続される。受動柱４３は回転板４１の第一端４１１に設けられ、受動柱４３は中心より上半部と下半部とに分けられる。凸柱４４は回転板４１の第二端４１２に設けられる。図４および図８に示すように、凸柱４４は、スライド槽２１及び定位槽２２に対応して嵌まり、スライドするように設置される。
【００１５】
本実施例においては、定位フレーム２の断面はＵ型で、連動フレーム３はこのＵ型形状の内側に設けられ、ロック部品４は定位フレーム２の反対側に位置するため、係止棒４２はスライド槽２１を貫通して連動フレーム３に可動状態で接続している。よって、すべてのロック部品４は連動フレーム３と一緒に連動し、連動フレーム３は定位フレーム２内で上下スライド移動を行う。
【００１６】
ガイド部品５は、引き出し２の側面に直接又は間接的に固定される。本実施例においては、ガイド部品５はさらにスライド機構上に固定される。すなわち、ガイド部品５はスライドレール１１に固定され、引き出し１に連動する。ガイド部品５はさらに、ガイド板５１、第一係止片５２、第二係止片５３、第一ガード板５４及び第二ガード板５５を含む。
【００１７】
ガイド板５１はさらに、相対的に低い位置の第一端５１１と高い位置の第二端５１２とを備え、図４から図８に示すようにロック部品４の係止棒４２を押し上げる。
第一係止片５２及び第二係止片５３は、近接するガイド板５１の第二端５１２側の位置に間隔を開けて設置される。第一係止片５２は、ロック部品４の受動柱４３の上半部に接触して止まるように設けられる。また、第二係止片５３は、ロック部品４の受動柱４３の下半部に接触して止まるように設けられる。
【００１８】
第一ガード板５４及び第二ガード板５５は、共に近接するガイド板５１の第一端５１１側の位置に立てて設けられ、受動柱４３の上に前後両側に対応して位置する。さらに、ロック部品４が連動フレーム３に連動して上昇後、第二ガード板５５は受動柱４３の動きを制限し、これによりロック部品４は定位フレーム２のスライド槽２１に対して直立の状態を保持する。また、これに対して第一ガード板５４は、ロック部品４の係止棒４２により移動を制限される。
【００１９】
組合せ後の各構成部品の位置関係は、図２及び図３に示すとおりである。
操作時には、図４に示す状態、すなわちすべての引き出し１は閉まり、本考案によるインターロック装置が作動していない状態から、図５から図８に示す状態を経由し作動開始の状態となる。また、図９においては、本考案によるインターロック装置の作動に連動して、他の引き出し１はロックの状態、すなわち１個の引き出し１が開かれ、図５から図８でインターロックが作動した後の、図９に示すような開くことのできない状態となる。さらに、図１０及び図１１に示すように、本考案によるインターロック装置の作動に連動してロック解除の状態となる。
【００２０】
図５及び図６に示すように、図１から図３に示すが以後図示しない１個の引き出し１が引き出される場合、その側面のガイド部品５は連動してスライド移動するが、その他の引き出し１のガイド部品５は動かなくなる。この時、スライド移動したガイド部品５はガイド板５１の第一端５１１によりその対応するロック部品４の係止棒４２を押し上げ、さらに連動フレーム３を連動させて定位フレーム２内において上昇させる。この時、すべてのロック部品４は上昇し、凸柱４４も対応してスライド槽２１中をスライド移動する。スライド移動したガイド部品５が対応しないロック部品４においては、係止棒４２が対応するガイド部品５の第一ガード板５４まで上昇し始める。
【００２１】
図７及び図８に示すように、スライド移動したガイド部品５は、ガイド板５１によりその対応するロック部品４の係止棒４２を押上げ、その第二端５１２に接触させ、さらに第一係止片５２はロック部品４の受動柱４３の上半部に接触して止まる。これにより、ロック部品４は係止棒４２を中心として回転し、さらに凸柱４４がスライド槽２１より定位槽２２に移動して入りこみ、連動フレーム３の位置を一時的に固定する。
【００２２】
図９に示すように、他の引き出しにおけるロック部品４は、連動フレーム３により最高点まで押上げられ、その受動柱４３が既に対応するガイド部品５の第二ガード板５５側に進入しているため、他の引き出しのロック部品４の凸柱４４は対応する定位槽２２にスライド進入することはない。さらに、ロック部品４の係止棒４２により第一ガード板５４の移動は制限される。すなわち、開いた引き出しの他の引き出しのロック部品４は、その対応するガイド部品５の移動を制限するので、インターロックとしての作用効果が得られる。
【００２３】
ロック解除時には、図１０及び図１１に示すように、初期状態に戻るように移動するガイド部品５は、第二係止片５３がロック部品４の受動柱４３の下半部に接触することによって止まり、さらにロック部品４は係止棒４２を中心として回転する。また、その凸柱４４は、定位槽２２よりスライド槽２１にスライド進入し、重力によって連動フレーム３を元の位置に戻し、各ロック部品４の位置が復元される。これにより、他の引き出し１を開けることができるようになる。
【図面の簡単な説明】
【００２４】
【図１】本考案の分解した状態を示す斜視図である。
【図２】本考案の組合せた状態を示す斜視図である。
【図３】本考案において、引き出し、スライドレール、ガイド部品、定位フレーム、ロック部品及び連動フレームの位置関係を示す要部断面図である。
【図４】本考案の初期状態を示す要部平面図である。
【図５】本考案の作動時を示す要部平面図である。
【図６】本考案の作動時を示す要部平面図である。
【図７】本考案の作動時を示す要部平面図である。
【図８】本考案のロック作動時における、開いた引き出しを示す要部平面図である。
【図９】本考案のロック作動によりロックされた引き出しを示す要部平面図である。
【図１０】本考案のロック解除時を示す要部平面図である。
【図１１】本考案のロック解除時を示す要部平面図である。
【符号の説明】
【００２５】
１：引き出し、２：定位フレーム、３：連動フレーム、４：ロック部品、５：ガイド部品、１１：スライドレール、２１：スライド槽、２２：定位槽、４１：回転板、４１１：第一端、４１２：第二端、４２：係止棒、４３：受動柱、４４：凸柱、５１：ガイド板、５２：第一係止片、５３：第二係止片、５４：第一ガード板、５５：第二ガード板、５１１：第一端、５１２：第二端
【図１】
0003140179.tif 000003
【図２】
0003140179.tif 000004
【図３】
0003140179.tif 000005
【図４】
0003140179.tif 000006
【図５】
0003140179.tif 000007
【図６】
0003140179.tif 000008
【図７】
0003140179.tif 000009
【図８】
0003140179.tif 000010
【図９】
0003140179.tif 000011
【図１０】
0003140179.tif 000012
【図１１】
0003140179.tif 000013